Podtech/llm-jp-corpus-v4-ja_patent huggingface dataset:
(57)【要約】      （修正有）【課題】性病の感染を、社会から根絶させるインターネットプログラムを提供する。【解決手段】性感染症を社会から根絶させ、また恋愛で人類が苦しむ場面を減らす事を可能にしたインターネットプログラムである。【選択図】なし【特許請求の範囲】
【請求項１】
（公序良俗違反につき、不掲載）
【請求項２】
（公序良俗違反につき、不掲載）
【請求項３】
（公序良俗違反につき、不掲載）
【請求項４】
（公序良俗違反につき、不掲載）
【請求項５】
（公序良俗違反につき、不掲載）
【請求項６】
（公序良俗違反につき、不掲載）
【請求項７】
（公序良俗違反につき、不掲載）
【請求項８】
（公序良俗違反につき、不掲載）
【請求項９】
（公序良俗違反につき、不掲載）
【請求項１０】
（公序良俗違反につき、不掲載）
【請求項１１】
（公序良俗違反につき、不掲載）
【請求項１２】
（公序良俗違反につき、不掲載）
【請求項１３】
（公序良俗違反につき、不掲載）
【請求項１４】
（公序良俗違反につき、不掲載）
【請求項１５】
（公序良俗違反につき、不掲載）
【請求項１６】
（公序良俗違反につき、不掲載）
【請求項１７】
（公序良俗違反につき、不掲載）
【請求項１８】
（公序良俗違反につき、不掲載）
【請求項１９】
（公序良俗違反につき、不掲載）
【請求項２０】
（公序良俗違反につき、不掲載）
【請求項２１】
（公序良俗違反につき、不掲載）
【請求項２２】
（公序良俗違反につき、不掲載）
【請求項２３】
（公序良俗違反につき、不掲載）
【請求項２４】
（公序良俗違反につき、不掲載）
【請求項２５】
（公序良俗違反につき、不掲載）
【請求項２６】
（公序良俗違反につき、不掲載）
【請求項２７】
（公序良俗違反につき、不掲載）
【請求項２８】
（公序良俗違反につき、不掲載）
【請求項２９】
（公序良俗違反につき、不掲載）
【請求項３０】
（公序良俗違反につき、不掲載）
【請求項３１】
（公序良俗違反につき、不掲載）
【請求項３２】
（公序良俗違反につき、不掲載）
【請求項３３】
（公序良俗違反につき、不掲載）
【発明の詳細な説明】
公序良俗違反のため、不掲載とする。
(57)【要約】【課題】パーソナルコンピュータを利用した予約録画やインターネット巡回などのアプリケーション処理は常時稼動での利用を前提としておりビデオデッキのような予約録画などができない。【解決手段】パーソナルコンピュータの起動用パワースイッチに並列でタイマー用起動スイッチを接続しこれに重複起動によるシャットダウン保護回路とによって稼働を管理する【選択図】図１
2007233984.tif 000002
【特許請求の範囲】
【請求項１】
パーソナルコンピュータの電源スイッチと並列でタイマー用の電源スイッチを設けタイマーによるパーソナルコンピュータの起動を行う制御回路を図１に現す。パーソナルコンピュータ電源ＯＮのＰｏｗｅｒスイッチと並列にタイマー起動によるＰＣ起動スイッチを設置する。プログラマブルタイマーを使用する事により複数の起動時刻を設定可能となり、ソフトウェアとの組合せにより自動起動、自動終了のシステム構築を可能とする。
【請求項２】
パーソナルコンピュータ起動時に録画プログラムなどの起動に関するフローを図５に現す。図５に現す通りスタートアップに予約処理をおこなうプログラムを登録しシステム終了時にタイマーに起動情報を転送する。
【請求項３】
パーソナルコンピュータ稼動中にタイマーによる起動スイッチにより重複起動した場合システムはシャットダウンしてしまう。稼動中はＣＰＵやファン等に電圧が掛かり電流も流れている。図２に現す通りパーソナルコンピュータのＣＰＵ  Ｆａｎ電源に掛かる電源から並列にＰＣ  ｏｎリレー出力を取出す。図４に現す通りＰＣ  ｏｎリレーをｂ接点としてＣＰＵ  Ｆａｎオフ時にＰＣ起動リレーがオンとなる。ＣＰＵ  Ｆａｎ電源よりＰＣ  ｏｎリレーの電源を供給する事によりＣＰＵ  Ｆａｎ電源がオン時にＰＣ起動リレーがオフ、ＣＰＵ  Ｆａｎ電源オフの場合ＰＣ起動リレーがオンとなる。このｂ接点回路として組込む回路によりタイマーによる起動スイッチの重複動作を止めシャットダウンを防止するシステム及び回路。
【発明の詳細な説明】
【技術分野】
【０００１】本発明はパーソナルコンピュータをプログラマブルタイマーにより自動起動するシステム及び制御回路等に関する。
【背景技術】
【０００２】現在パーソナルコンピュータによる自動録画などの自動処理はその常時稼動によって実行されており一般的に高い電力を消費する。
【発明の開示】
【発明が解決しようとする課題】
【０００３】テレビの予約録画等をパーソナルコンピュータで行う場合常時可動によるアプリケーションによる予約機能のみの対応しかできない。【０００４】パーソナルコンピュータを未使用時は筐体も大きく場所を取ってしまい埃を被ってしまうことも多くなる。【０００５】これまでパーソナルコンピュータは生活用品と言うよりは事務用品のような存在であったため日常生活への浸透力が弱い存在であった。
【課題を解決しようとする手段】
【０００６】パーソナルコンピュータ起動スイッチと並列でタイマースイッチを設置しスタートアップにプログラムを登録する。
【０００７】処理終了時にシステムが自動終了するよう設定する。
【０００８】システム稼働中にタイマー設定時刻に達した場合重複起動によるシャットダウンを防ぐ回路を組込む。
【０００９】タイマー時刻を筐体に表示する
【発明の効果】
【００１０】タイマーによる自動起動が可能となり通常のビデオデッキ等と同等の予約録画などの利用が可能となる。
【００１１】タイマー時刻を表示することにより単にパーソナルコンピュータとして事務処理以外の利用や不在時にも一定の処理を行う事ができる。
【発明を実施するための最良の形態】
【００１２】タイマーをパーソナルコンピュータ前面パネルに設置し時刻を表示。タイマー設定時刻にパーソナルコンピュータが起動し予約録画、インターネットホームページを巡回し情報をダウンロード及びプレイヤーソフトへ転送する。終了時状態を転送保存する。
【実施例】
【００１３】パーソナルコンピュータの録画予約を設定する。同時刻にタイマー起動を設定します。設定時刻にパーソナルコンピュータが起動し録画を開始します。録画終了とともにパーソナルコンピュータ終了する。帰宅後録画された番組などを視聴する。
【産業上の利用可能性】
【・・・・】
【図面の簡単な説明】
【００１４】タイマーとパーソナルコンピュータの起動回路と処理概要についての図面に現す。【図１】Ｐｏｗｅｒスイッチとタイマー起動ＰＣ起動スイッチを並列接続に関する図である。
【図２】パーソナルコンピュータ稼働検出のＣＰＵ  ＦａｎとＰＣ  ｏｎリレー接続に関する図である。
【図３】タイマーリレーの接続ラダーに関する図である。
【図４】稼働中の重複起動を防止する為の制御に関する図である
【図５】タイマー起動時の処理概要に関するフロー図である
【図６】タイマー時刻表示を行った場合の外観図である
【図１】
2007233984.tif 000003
【図２】
2007233984.tif 000004
【図３】
2007233984.tif 000005
【図４】
2007233984.tif 000006
【図５】
2007233984.tif 000007
【図６】
2007233984.tif 000008
(57)【要約】【課題】  横断歩道上での交通事故を未然に防ぐために歩行者へ左右確認を促す補助信号機を提供する。【解決手段】  歩行者専用信号機の隣接（上部を含む）して、同一向きに設置する歩行者用の補助信号機であり、構成要素は、電源回路基板、制御回路基板、『左』および『右』の文字形の灯器である。歩行者専用信号機の赤信号から青信号への切り替わり時に『左』を点灯し、一定時間経過後に『左』を消灯すると同時に『右』を点灯し、一定時間経過後、『右』を消灯する。この一定時間は、歩行者が一方向の交通状況を確認に要する時間であり、道路要因、周辺要因により調整する。【選択図】図１
2007233986.tif 000002
【特許請求の範囲】
【請求項１】
歩行者専用信号機に隣接（上部を含む）して、同一向きに設置する歩行者用の補助信号機であり、構成要素は、電源回路基板、制御回路基板、『左』および『右』の文字形の灯器である。歩行者専用信号機の赤信号から青信号への切り替わり時に『左』を点灯し、一定時間経過後に『左』を消灯すると同時に『右』を点灯し、一定時間経過後、『右』を消灯する。この一定時間は、歩行者が一方向の交通状況確認に要する時間であり、道路要因、周辺要因により調整する。
【請求項２】
請求項１の『左』および『右』の文字形を略して、『エ』および『口』とした歩行者用の補助信号機。
【発明の詳細な説明】
【技術分野】
【０００１】  交通信号機であり、特に歩行者の交通安全を確保するための補助信号機。
【背景技術】
【０００２】  『歩行者用待時間表示装置』として、残り時間、待ち時間を表示灯の数によって示す装置の安全性を高める方法が提示されている。（特開平０９−２０４５９６）【０００３】  『発光ダイオード組立体の組立方法および発光ダイオード組立体』として、発光色に白色を含む交通信号灯器として利用できる装置の組立方法が提示されている。
（特開２００５−３１７９５１（Ｐ２００５−３１７９５１Ａ））
【特許文献１】  特開平０９−２０４５９６
【特許文献２】  特開２００５−３１７９５１（Ｐ２００５−３１７９５１Ａ）
【発明の開示】
【発明が解決しようとする課題】
【０００４】  横断歩道上での交通事故を未然に防ぐために歩行者へ左右確認を促す補助信号機を提供する。
【課題を解決するための手段】
【０００５】歩行者専用信号機に隣接（上部を含む）して、同一向きに設置する歩行者用の補助信号機であり、構成要素は、電源回路基板、制御回路基板、『左』および『右』の文字形の灯器である。【０００６】  歩行者専用信号機の赤信号から青信号への切り替わり時に『左』を点灯し、一定時間経過後に『左』を消灯すると同時に『右』を点灯し、一定時間経過後、『右』を消灯する。この一定時間は、歩行者が一方向の交通状況確認に要する時間であり、道路要因、周辺要因により調整する。【０００７】  文字形は略して、『エ』および『口』でも良い。
【発明の効果】
【０００８】  歩行者に横断歩道での左右確認を習慣化させることができる。また、信号が切り替わってから間もないことを提示することになるので、飛び出しによる事故を防ぐ効果が期待できる。特に園児や学童の交通安全に寄与できると思われる。
【発明を実施するための最良の形態】
【０００９】  『左』『右』の文字形の灯器は、白色の発光ダイオードを集合して形成する。【００１０】  制御機より歩行者専用信号機を赤信号から青信号へ切り替える際の信号を受け、『左』の点灯を開始する。制御基板内に時限機能を持たせ『左』から『右』への切り替え、および『右』の消灯の時差を実現する。【００１１】  『左』『右』それぞれの点灯時間を０〜５秒間の間で調整可能とし、既定値を２秒間とする。【００１２】  文字形の灯器は、『左』だけの部分、『右』だけの部分、『左』『右』共通部分に領域分けして点灯、消灯を制御する。
【図面の簡単な説明】
【００１３】
【図１】  補助信号機の設置位置の例。
【図２】  歩行者専用信号機と補助信号機の電気系統。
【図３】  文字形の灯器の個別部分と共通部分の領域分けの例。
【図４】  歩行者専用信号機と補助信号機の灯器の点灯／消灯タイミング。
【符号の説明】
【００１４】  １０補助信号機、１１歩行者専用信号機。
２０歩行者専用信号機、２１制御機、２２電源回路基板、２３制御回路基板、２４文字形の灯器。
３０『左』だけの部分、３１『右』だけの部分、３２『左』『右』共通部分。
４０赤信号、４１青信号、４２『左』だけの部分、４３『右』だけの部分、４４『左』『右』共通部分。
【図１】
2007233986.tif 000003
【図２】
2007233986.tif 000004
【図３】
2007233986.tif 000005
【図４】
2007233986.tif 000006
(57)【要約】【課題】  透明性、耐熱性を有し、溶剤型接着剤を用いて接合しても接合面等に白化が生じないポリ乳酸樹脂積層体を提供する。【解決手段】  ポリ乳酸樹脂にポリメチルメタクリレート樹脂が配合された樹脂組成物からなる基材層の少なくとも片面に、ポリメチルメタクリレート樹脂からなる表層を積層する。【選択図】なし【特許請求の範囲】
【請求項１】
ポリ乳酸樹脂にポリメチルメタクリレート樹脂が配合された樹脂組成物からなる基材層と、該基材層の少なくとも片面に積層されたポリメチルメタクリレート樹脂からなる表層とよりなるポリ乳酸樹脂積層体。
【発明の詳細な説明】
【技術分野】
【０００１】
この発明は透明性、耐熱性を有し、かつ溶剤接着性が改良されたポリ乳酸樹脂積層体に関する。
【背景技術】
【０００２】
ポリ乳酸樹脂はとうもろこしなどの植物から得られる樹脂であり、従来から用いられているポリスチレン、ポリプロピレン、ポリ塩化ビニル、ポリエチレンなどの石油系樹脂と異なり、石油資源枯渇防止、炭酸ガス排出抑制などの効果があるとされ、石油系樹脂に替わる材料として期待されており、農業用、食品包装用フィルムなどに利用されている。また、このポリ乳酸樹脂は優れた透明性を有しており、陳列ケースなどの販売什器といった用途に用いられることも要望されている。
【０００３】
しかし、ポリ乳酸樹脂は耐熱性に劣るため、使用環境等が制限されるという問題がある。そこでポリ乳酸樹脂の透明性を生かしつつ耐熱性を向上させる目的で、ポリ乳酸系重合体とアクリル系重合体とからなる熱可塑性樹脂組成物が提案されている（特許文献１）。
【０００４】
上記のようにポリ乳酸樹脂とアクリル系重合体との組成物よりなる成形体は、なるほど耐熱性の向上はみられるものの、この成形体を用いて上記の陳列ケースなどの什器を製作しようとすると接着剤により白化するという現象がみられる。つまり、一般に陳列ケースなどは、複数枚のシート状成形体を接着剤（溶剤タイプのもの）により組み立て・製作される。この際、接着面および接着面からはみ出して溶剤が付着した部分がクラックの発生などにより白化がみられるというものである。その結果、製品の外観が著しく低下し、意匠性に欠けるという問題がある。
【特許文献１】特開２００４−２６９７２０
【発明の開示】
【発明が解決しようとする課題】
【０００５】
本発明は、上記の問題を解決し、透明性、耐熱性を有し、溶剤型接着剤を用いて接合しても接合面等に白化が生じないポリ乳酸樹脂積層体を提供することを目的とする。
【課題を解決するための手段】
【０００６】
本発明は、ポリ乳酸樹脂にポリメチルメタクリレート樹脂が配合された樹脂組成物からなる基材層と、該基材層の少なくとも片面に積層されたポリメチルメタクリレート樹脂からなる表層とよりなるポリ乳酸樹脂積層体を要旨とする。
【発明の効果】
【０００７】
本発明のポリ乳酸樹脂積層体は、ポリ乳酸樹脂にポリメチルメタクリレート樹脂が配合された樹脂組成物からなる基材層に、ポリメチルメタクリレート樹脂からなる表層を積層することにより、ポリ乳酸樹脂の透明性が維持されたまま耐熱性を有し、かつ溶剤型接着剤を用いた接着加工の際に、溶剤に起因して接着面および接着面からはみ出して溶剤が付着した部分が白化するという現象を引き起こさず、陳列ケースなどの什器といった用途に好適に用いることができる。
【発明を実施するための最良の形態】
【０００８】
本発明の基材層に用いられるポリ乳酸樹脂は、Ｌ−乳酸、Ｄ−乳酸、ＬＤ−乳酸またはこれらの混合物を縮合脱水して得られるか、もしくは乳酸のラクチドを開環重合して得られたものが採用され、そのＬ−ポリ乳酸とＤ−ポリ乳酸の含有比率について制限はない。
【０００９】
基材層および表層に用いられるポリメチルメタクリレート樹脂としては、メチルメタクリレート単体あるいはメチルメタクリレート５０重量％以上と他の共重合可能なエチレン性不飽和単量体との共重合体からなる樹脂が用いられる。
【００１０】
基材層のポリ乳酸樹脂とポリメチルメタクリレート樹脂との配合比率は、８０／２０〜５／９５となるように配合されることが好ましい。ポリメチルメタクリレート樹脂の比率が２０未満では十分な耐熱性が得られず、また逆に９５を超えると石油資源枯渇防止、炭酸ガス排出抑制など効果の点から相応しくない。
【００１１】
表層の厚さとしては、３０〜５００μｍの範囲内が好ましく、基材層の片面または両面のいずれに積層してもよい。積層方法としては共押出、熱ラミネートあるいはプレス成形による積層など周知の方法が挙げられる。
【実施例】
【００１２】
ポリ乳酸樹脂（重量平均分子量が２０万、Ｄ体の含有量が２％であるポリＬ-乳酸樹脂、商品名「レイシアＨ４００」、三井化学株式会社製）と、ポリメチルメタクリレート樹脂（ポリメタクリル酸メチル樹脂、商品名「スミペックスＥＸ」、住友化学株式会社製）とを混合し、押出成形により厚さ３ｍｍのシート状の成形体を得た。一方、厚さ５０μｍのポリメチルメタクリレート樹脂フィルム（アクリル系グラフト共重合体含有メタクリル系重合体、商品名「サンデュレン０１４」、株式会社カネカ製）を準備し、上記のようにして得られたシート状成形体の表面にポリメチルメタクリレート樹脂フィルムを熱ラミネート法により積層した。
【００１３】
得られた積層体より２０ｍｍＸ２０ｍｍサイズのものを試料として断面接着について確認した。各試料のアクリルフィルムが積層された面同士が接する部位から接着溶剤（ジクロロメタン）を注射器にて注入し接着したところ、白化現象はまったくみられなかった。
(57)【要約】      （修正有）【課題】従来のファイルでは、バインダーに書類に穴を開け綴じてゆくもの、あるいはファイリング用集合型で薄いビニール製の袋状の中に書類を差し込んでファイルするもの、ファイルケース（一枚もの）でバインダーに合わせた箇所を突出させそこにバインダー用に穴を開けてあり、そのファイルケースそのものをバインダーの留め金を開けてバインドするもの、その他は紙製、プラスティック製ケースにファイルを何冊か入れて管理する方式等があるが、いずれも、ファイルの出し入れに時間がかかるもの、面倒な動作がともなう。【解決手段】ファイル補助ホルダーをバインドすることで、従来バインドしていた書類はファイルケース（一枚もの）にセットしファイル補助ホルダーへ挟み込むのみの作業で取り外しが簡単になる。よって、ファイリング作業を簡便にし充分に活用することができる。【選択図】図３
2007125866.tif 000002
【特許請求の範囲】
【請求項１】
書類をファイルケース（一枚もの）に入れ、そのファイルケースを束ねて保管するとき、あるいは、目的書類を検索してその納められている書類の入ったファイルケースを抽出、再保管するとき、ファイルバインダー等に装着された器具、金具類を開閉動作しなくても、あるいは保管の為の書類に直接穴を開けないでも書類の入ったファイルケースを入出する手間を省くためのファイル補助ホルダー。
【発明の詳細な説明】
【技術分野】
【０００１】ファイルケースを、バインダー等へ複数枚束ねた状態で保管する為の器具、金具等を使わずにあるいは、保管のために書類に直接穴を開けないでも簡単に束ねることができるファイル用補助ホルダーファイルケースをバインドするためのファイル補助ホルダーで、バインダーへの装着保管、抽出を簡便にする補助ホルダー。
【背景技術】
【０００２】現存のファイルホルダーは複数枚のビニール製固定ブック形式のものや、バインドするためにファイルケースに穴をあけて装着器具、金具をはずして、はめ込むタイプが多くみられ入出に手間がかかる。
事務用品として装着保管、抽出を補助ホルダーの内側に脱着可能な粘着ファイルケース止めを補助ホルダーの片面に固定させることでファイルが外れない仕組みを可能とする技術。
【発明の開示】
【発明が解決しようとする課題】
【０００３】ビニール製固定ブック形式では資料の取り出し入れは上側または横側から行うが、ビニール製ファイル（袋状）が薄いため資料が変形、折れ曲がることが多いことや、ビニールのファイル（袋状）そのものが破れたりするが、当開発の補助ホルダーは直接資料の入ったファイル（一枚もの）を補助ホルダーへ着脱するために資料の破損はまったくなくなる。
【課題を解決するための手段】
【０００４】上記目的を解決するためのファイル補助ホルダーは、ファイル（一枚もの）と同様のファイルの１／２以下の補助用ファイルを作成し、バインド用２穴、３穴とバインダーに合わせた穴を開けておき、その片面内側に粘着力のある（化学樹脂系）材料を固定する。【０００５】バインダーにこの補助用ファイル（面積半分以下）をファイル数に応じてあらかじめ装着しておき、そこへ書類の入ったファイルを挿入することで、書類ファイルを一々取り出し入れのためにバインダーの器具、金具類を開閉する手間を省けまた、書類を傷つけることもなくなる。
もちろん書類に穴を開けることも不要となる。
【発明の効果】
【０００６】本発明の使用上の効果は下記のようなものが考えられる。
・ホルダーの脱着が簡便である。
・書類等差し込む資料の折れ曲げ、破損が皆無となる。
・ファイルが複数枚でも一枚もののファイルを扱うのと同様に扱える。
・ファイル補助ホルダーの強度が高くなったため書類ファイルを何度出し入れ            しても使えなくなることがない耐久性を有する。
【実施例】
【０００７】従来この脱着可能な粘着ファイルケース止め補助ホルダーおよび、補助ホルダーは存在しない。
【図面の簡単な説明】
【０００８】
【図１】この発明であるファイル補助ホルダーを示す横側面図
【図２】この発明であるファイル補助ホルダーを示す前面図
【図３】この発明であるファイル補助ホルダーが主ホルダーに装填され一枚もののファイルをバインダーへ装着した図
【符号の説明】
【０００９】▲１▼補助ホルダー
▲２▼粘着部（ファイルケース固定用）
▲３▼補助ホルダー耳線（ファイル挿入限界点）
▲４▼市販バインダー用装着穴（上部）
▲４▼’市販バインダー用装着穴（下部）
▲５▼耳部巾表示
▲６▼バインダー巾表示
▲７▼バインダー固定金具（上部）
▲７▼’バインダー固定金具（下部）
▲８▼一枚型ファイルケース
【図１】
2007125866.tif 000003
【図２】
2007125866.tif 000004
【図３】
2007125866.tif 000005
(57)【要約】      （修正有）【課題】既存のロール状粘着紙式カーペットクリーナーはカーペットのごみ、室内で飼われる動物の毛などを掃除するには便利である。しかし、ごみの付いた使用済みの粘着用紙は廃棄する際に剥がし難いという欠点がある。本ロール状粘着紙式カーペットクリーナーは粘着用紙を剥がすのを容易にする。【解決手段】粘着紙を円筒状の芯にロール状に複数巻いたカーペットクリーナーのローラー粘着紙の両端であるA点からB点及びC点からD点を指で剥がせる程度残し、B点からC点に切り込みを芯表面に至るまで入れる。【選択図】図１
2007125083.tif 000002
【特許請求の範囲】
【請求項１】
粘着紙を円筒状の芯にロール状に複数巻いたカーペットクリーナーの粘着紙を
指で剥がせる程度に両端部を残し、切り込みを芯表面に至るまで入れる。
使用済みの粘着用紙を剥がすのが容易になるロール状粘着紙式カーペットクリーナー。
【発明の詳細な説明】
【技術分野】
【０００１】
本発明は、使用済みの粘着用紙を剥がすのが容易になるロール状粘着紙式カーペットク
リーナーに関するものである。
【背景技術】
【０００２】
ロール状粘着紙式カーペットクリーナーはカーペットのごみ、室内で飼われる動物の毛
などを掃除するには便利である。
【０００３】
しかし、ごみの付いた使用済みの粘着用紙は廃棄する際に剥がし難いという欠点がある。
粘着用紙にミシン目を入れたものがあるが、目が細かいため剥がす際に難しいという
問題点がある。
【特許文献１】特開２００２−１７７１８５号
【発明の開示】
【発明が解決しようとする課題】
【０００４】
解決しようとする問題点は、ロール状粘着紙式カーペットクリーナーはカーペットなど
を掃除するには便利であるが、使用済みの粘着用紙を剥がすのが難しく非常に面倒で
ある。
【課題を解決するための手段】
【０００５】
本発明は、粘着紙を円筒状の芯にロール状に複数巻いたカーペットクリーナーのローラ
ー粘着紙に切れ込みを入れ、指で剥がせる程度に両端部を残すことが大きな特徴である。
【発明の効果】
【０００６】
ロール状粘着紙式カーペットクリーナーの粘着紙にあらかじめ分離のための切り込み
を入れることにより使用済みの粘着用紙を切り離すのが容易になる。
【０００７】
カーペットクリーナーのローラー粘着紙の両端であるA点からB点及びC点からD点を
指で剥がせる程度残すことにより切り離す場所を用意に特定できる。
【発明を実施するための最良の形態】
【０００８】
図1粘着紙を円筒状の芯にロール状に複数巻いたカーペットクリーナーのローラー
粘着紙の両端であるA点からB点及びC点からD点を指で剥がせる程度残し、B点から
C点に切り込みを芯表面に至るまで入れる。
【実施例】
【０００９】
図１はロール状粘着紙式カーペットクリーナーの粘着紙に切り込みを入れたものである。
【産業上の利用可能性】
【００１０】
より剥がし易く、扱いやすいロール状粘着紙式カーペットクリーナーとして利用できる。
本発明の方法は製造コストも少なくて済む。
【図面の簡単な説明】
【００１１】
【図１】ロール状粘着紙式カーペットクリーナーの粘着紙に切り込みを刻設した説明図          である。
【符号の説明】
【００１２】
A  ロール状粘着紙式カーペットクリーナー左端
B  切り込み始点
C  切り込み終点
D  ロール状粘着紙式カーペットクリーナー右端
【図１】
2007125083.tif 000003
(57)【要約】【課題】挿し絵が読者に小説の主人公や登場人物、場面を独自にイメージすることを妨げないように、挿し絵を小説に関連付け可能で、作成に特殊な技術や技能を必要としない挿し絵を可能とする。【解決手段】新聞や雑誌などに連載する小説や単行本の挿し絵として、小説ごとに決めた法則に従って文字や数字、図柄を掲載し、その法則を読者に当ててもらうクイズを出題する。小説を読むだけででなく、クイズを解く楽しさを加え、小説に付加価値を加える。出題するクイズの法則も無数に作れるため、さまざまな小説の挿し絵が簡単に作成できる。【選択図】図１
2007125272.tif 000002
【特許請求の範囲】
【請求項１】
新聞や雑誌などに連載する小説や単行本の挿し絵として、個々の小説ごとに決めた法則に従って文字や数字、図柄を掲載し、その法則を読者に当ててもらうクイズを出題する。小説を読むだけででなく、クイズを解く楽しさを加え、小説に付加価値を加える。出題するクイズの法則も無数に作れるため、さまざまな小説の挿し絵が簡単に作成できる。
【発明の詳細な説明】
【技術分野】
【０００１】
本発明は、新聞などの連載小説や単行本の挿し絵に関するものである。
【背景技術】
【０００２】
従来の連載小説の挿し絵は、小説の内容に沿ったイラスト等を掲載している。物語の1場面を視覚的にも楽しませる効果があり、実用上十分であった。
【０００３】
しかし、読者自身が主人公や登場人物、場面を想像し楽しむという小説本来の部分を阻害する恐れがある。
【０００４】
挿し絵を掲載しない場合、文章だけを紙面に掲載すると、レイアウトなど特徴をつけにくくなるほか、文章だけの紙面面積が大きくなれば、紙面全体の視覚的印象が悪くなる可能性があるなどの問題があった。
【０００５】
この改善策として、各回の最初の１文字目や段落の最初の１文字目を大きく掲載する方法など、小説のストーリーとは直接関係ない挿し絵を掲載する方法があるが、これは単にレイアウトや視覚的印象を対象にしたものである。
【発明の開示】
【発明が解決しようとする課題】
【０００６】
解決しようとする問題点は、小説のストーリーとは直接関係ない挿し絵をその小説と関連付け、連載小説の読者が挿し絵でも楽しめるようにする点である。
【課題を解決するための手段】
【０００７】
本発明は、小説を読むことによって、法則を見つけ出すクイズを、挿し絵（文字や数字、図柄）を通して行うことを最も主要な特徴とする。
【発明の効果】
【０００８】
本発明の挿し絵クイズは、連載小説を読み続けることによって正解が導かれるという利点のほか、読者にはストーリーとクイズの２つの要素を楽しめる利点がある。
【発明を実施するための最良の形態】
【０００９】
物語に関係なく挿し絵を小説に関連付けできるため、読者に小説の主人公や登場人物、場面を独自にイメージすることを妨げず、小説を読むことに加えクイズを楽しむ挿し絵を実現した。挿し絵作成においても特殊な技術や技能を必要としないため、コストダウンが図れる。
【実施例１】
【００１０】
図１は、本発明挿し絵の１掲載例で、図上が連載１回目、図下が連載２回目である。
【００１１】
連載１回目の挿し絵「見」は文章の最後から１番目の漢字で、２回目の挿し絵「模」は最後から２番目にある漢字だ。このように、３回目は最後から３番目の漢字で挿し絵を作成し以後、連載小説最終回まで同様の法則で挿し絵を作成、掲載していく。掲載回数が増え、漢字が文章の先頭までいった場合は、また文章の最後に漢字に戻り回数を数えていく。図１の上、１回目の小説を120回目の掲載に置き換えると「小」が120回目の挿し絵となる。この法則がクイズの解答となる。
【００１２】
解答の正解率が低い場合など、[００１１]の法則を例にすると「掲載回数」「最後から」などのヒントを掲載することで、正解率を高めることができる。また、章ごとに違う法則で出題すれば１つの小説に対して複数のクイズを出題できるほか、少ない連載回数で正解の解答が多数寄せられた場合、そのクイズを終了し同様に違う法則で改めてクイズを出題することが可能。
【００１３】
クイズの解答となる法則は[００１１]の例が文章の最後から漢字を掲載回、数える法則だが、逆に文章の最初から数える場合や、掲載回の１段落目や２段落目など最初に決めた段落の最初や最後から数える場合や、掲載回数が奇数の場合、最初から数え、偶数の場合、最後から数える場合のほか、ひらがなやカタカナなども含めた法則など多種多様な法則を作ることができ、小説のストーリーに関係なく、その小説を読むまたは見ることで、法則を導く挿し絵をクイズとして出題することが、本発明に類する。
【００１４】
挿し絵も漢字のほか、法則に当てはまる漢字などの画数を数字で表したり、漢字や文字の意味を図柄で表した挿し絵を掲載するなどさまざまなバリエーションが可能。
【００１５】
また、単行本などの場合も、１ページごとや、見開きページごとなどの範囲を設定することで、本発明の挿し絵クイズが行える。
【産業上の利用可能性】
【００１６】
新聞や雑誌、フリーペーパーなどに連載する小説や単行本等に安易に挿し絵を掲載することができ、加えてクイズを読者が楽しむことができる。旧作や著作権が消滅した作品等を再び発刊する際にも新たな付加価値を加えるツールとして適用できる。
【図面の簡単な説明】
【００１７】
【図１】挿し絵クイズの掲載例を示した図である。（実施例１）
【符号の説明】
【００１８】
１    連載第１回目の挿し絵クイズ掲載例
２    連載第２回目の挿し絵クイズ掲載例
【図１】
2007125272.tif 000003
(57)【要約】【課題】地震のときに机の下の空間に避難した人を保護するために、空間に通じる開口を簡単な操作で塞ぐようにする。【解決手段】天板３の手前裏側に、左右脚の間隔とほぼ同じ幅のロールスクリーン１１を固定する。地震時机の下に避難したとき、幕１２を引き下げて、ガラス片などが机の下の空間８に侵入しないようにする。ウエイトバー１４が地震で前後に揺動しないよう、マグネットキャッチャー１６を設ける。【選択図】図１
2007125282.tif 000002
【特許請求の範囲】
【請求項１】
天板の手前裏側にロールスクリーンを設け、該ロールスクリーンから幕を下に引き出して机の下の空間に通じる開口を塞ぐようにしたことを特徴とする防災机。
【請求項２】
該ロールスクリーンがプルコード式のものである請求項１に記載の防災机。
【請求項３】
該ロールスクリーンの幕の一部または全部を透明に形成した請求項１または２に記載の防災机。
【請求項４】
該ロールスクリーンの幕を下げた状態でウエイトバーを机の脚に固定するためのキャッチャーを設けた請求項１、２または３に記載の防災机。
【発明の詳細な説明】
【技術分野】
【０００１】
本発明は、地震時に机の下を避難場所として使うための防災机に関する。
【背景技術】
【０００２】
地震時に、身近にある机（またはテーブル）の下に潜り込めば、棚や天井からの落下物などからある程度、身を守ることができるので、そのような避難行動が身についている人も多い。最近、防災意識の高まりの中で、簡単には潰れないように強度を高めた防災机も販売されている。これら防災机には、机の下に潜り込んだ人が身体を支えられるよう、つかまり棒やつり革を設けたものが多い。また、人体を保護するために内部表面をクッションなどで覆ってある。
【０００３】
ところで、机の下の空間は、少なくとも前側は、膝が入るよう開放している。したがって、ここから、地震で割れた窓ガラス等が飛び込んで来る危険がある。そこで、従来、机の下の開口を塞ぐための塞ぎ板を備えたものがある（特開平７−２５０７１３号公報）。このものでは、塞ぎ板は普段、天板の下に収納しておき、地震時机の下に避難したとき、塞ぎ板を引き出して開口を閉じるようにする。しかし、机の下に入ってとっさに塞ぎ板を閉じることは簡単ではなく、また、地震時に重いものがのしかかったりして塞ぎ板が開かなくなって、避難した人が閉じ込められるおそれもある。
【発明の開示】
【発明が解決しようとする課題】
【０００４】
この発明は、地震のときに机の下に避難した人を保護するために、開口を簡単な操作で塞ぐことを課題とする。
【課題を解決するための手段】
【０００５】
この発明の防災机は、天板の裏側にロールスクリーンを設け、該ロールスクリーンから幕を下に引き出して机の下の空間に通じる開口を塞ぐようにしたことを特徴とする（請求項１）。このように開口をロールスクリーンの幕で閉じるようにしたので、誰でも簡単に、しかも、短時間で開口を閉じることでき、飛散するガラス片を幕でブロックし、中にいる人を守ることができる。
【０００６】
ロールスクリーンは、操作方法によって大きくプルコード式（スプリング式）とチェーン式に分けられるが、操作が分かりやすくて容易であるのでプルコード式が好ましい（請求項２）。
【０００７】
机の下に避難した人が、室内の様子を見ることができるようロールスクリーンの幕の一部または全部を透明に形成することが好ましい（請求項３）。
【０００８】
地震の揺れで、幕の下辺のウエイトバーが前後に揺動すると、机との間に隙間が生じる。そこで、幕を降ろした状態でウエイトバーを机に固定するためにキャッチャーを設けることが好ましい（請求項４）。
【発明を実施するための最良の形態】
【０００９】
図１〜図３に示す防災机は、４隅の脚１と１本の中央の脚２の合計５本の脚（いずれも鋼製ボックスフレーム製）で木製天板３を支えている。前面を除き周囲には木製の側板４が張ってある。前後の脚同士は、鋼製桁５で結ばれている。中央脚２は左右の後脚より少し前側に位置しており、これから左右に延びる横部材６で前記鋼製桁５と結ばれている。また中央脚２から、横部材６と平行につかまり棒７が左右に延びており、その端は鋼製桁５に支持されている。
【００１０】
天板の下の空間８にいる人を保護するために、天井面と左右壁面には発泡ポリウレタンのクッション９が貼ってある。また、身体を支えられるように、電車に付いているのと同じような吊り手１０が天板３から下がっている。
【００１１】
天板３の手前裏側に、左右脚の間隔とほぼ同じ幅のロールスクリーン１１が固定してある。図４は下から見上げた斜視図である。このロールスクリーン１１から幕１２を引き出しておけば、窓ガラスが割れて飛散したような場合、ガラス片が机の下の空間８に飛び込んで来ないように幕１２で遮断することができる。このため幕１２は通常のものより厚めで強いものが望ましい。また、地震のとき、室内の様子が見えるよう、幕の一部または全部を透明材料で形成してもよい。
【００１２】
このロールスクリーン１１はプルコード式で、スプリングを内蔵したロール軸１１ａに幕１２が巻き取られており、プルコード１３（または直にウエイトバー１４）を下に引けば幕が降りて来る。プルコードを少し下に引いて手を離せば、ロール軸に巻き取られて幕１２が上がる。
【００１３】
ウエイトバー１４が地震で前後に揺動しないよう、キャッチャー１６が設けてある。キャッチャーはマグネット式で、これを脚１の下部に取り付ける。幕を下げると、マグネットキャッチャー１６にウエイトバー１４の端部（金属部）が吸着されて固定される。幕１２を上げるときは、ウエイトバー１４をマグネット１６から引き離すようにする。
【００１４】
この机は、普段はロールスクリーン１１を上げておき、普通の机として使用することができる。地震に備えるため、普段から懐中電灯や、ラジオなど防災用品を机の下に置いておくとよい。
【００１５】
地震があったときは、すぐ机の下の空間８に潜り込み、ロールスクリーン１１の幕を降ろして揺れが収まるのを待つ。揺れが大きいときは、吊り手１０やつかまり棒７につかまって身体を支えるようにする。この間、物が落ちてきたり、飛んできたり、倒れかかってきたりしても、机およびロールスクリーンの幕でブロックされるので、中に避難している人は安全である。
【図面の簡単な説明】
【００１６】
【図１】防災机の斜視図である。
【図２】防災机の横断面図である。
【図３】防災机の正面図であり、右側部分は断面で示す。
【図４】ロールスクリーンの斜め下方から見た部分斜視図である。
【符号の説明】
【００１７】
３    天板
７    つかまり棒
９    クッション
１０  吊り手
１１  ロールスクリーン    
１２  幕
１３  キャッチャー
１４  ウエイトバー
【図１】
2007125282.tif 000003
【図２】
2007125282.tif 000004
【図３】
2007125282.tif 000005
【図４】
2007125282.tif 000006
(57)【要約】【課題】  この発明はカーテンエアーバック展開部分とルーフパネル部分の基材目付を変える事で、成形天井の高剛性化とカーテンエアーバック展開性の両立を可能にする自動車用多重構造式成形天井を開発・提供する事にある。【解決手段】  成形天井はルーフパネル部分とカーテンエアーバック展開部分とで構成され、且つ、断熱性と吸音性と剛性を有する多重構造のルーフパネル部分と左右両側面に設けた一枚構造のカーテンエアーバック展開部分を一体構造に目付変更した芯材から成る事で、トータル重量及び性能を最適化したものである。【選択図】  図２
2007125949.tif 000002
【特許請求の範囲】
【請求項１】
車両天井部に装着して使用する成形天井であって、該成形天井はルーフパネル部分（１）とカーテンエアーバック（２）（２’）展開部分とで構成され、且つ断熱性と吸音性と剛性を有する多重構造のルーフパネル部分と左右両側面に設けた一枚構造のカーテンエアーバック展開部分を一体構造に目付変更した芯材（ＷＭ）（ＷＭ’）から成る事で、トータル重量及び性能を最適化した事を特徴とする自動車用多重構造式成形天井。
【発明の詳細な説明】
【技術分野】
【０００１】
この発明は、車室上部に装着される自動車用多重構造式成形天井に関するものである。
【背景技術】
【０００２】
従来から自動車用成形天井は、車内の見栄え（美観）と、断熱・防音の為に車室上部に装着されるものである。又、近年では燃費改善や高性能化等の為、車体の軽量化が重要視されて、ルーフパネル補強の替わりに成形天井を張り付けする工法が取られてきている。
【０００３】
その為、成形天井自体に高剛性が要求されるように成って来ているが、反面、安全性の為カーテンエアーバックの装着が標準化されつつあり、展開要件として成形天井の剛性低下を折り曲げビード及びスリット等で対策を行っているが、今後、高剛性化とカーテンエアーバック展開性の両立は課題であり、又、カーテンエアーバック展開性改善の成形天井への折り曲げビードは、外観上凸部を生じ浮き出て来る為、形状深さに限界がある。又、スリットは通気汚れ対策で設定している通気止めフィルムに穴を明ける事に成り、スリット部の表面を後工程で塞ぐ対策が必要と成ってくる。
【０００４】
これまでに出願されている自動車用成形天井の特許文献を参考の為に紹介する。（特許文献１参照。）
【特許文献１】実願平７−００６３９６（登録実用新案第３０１８９９５号）
【発明の開示】
【発明が解決しようとする課題】
【０００５】
そこで、上記課題を解決する為に、この発明はカーテンエアーバック展開部分とルーフパネル部分の基材目付を変える事で、成形天井の高剛性化とカーテンエアーバック展開性の両立を可能にする自動車用多重構造式成形天井を開発・提供する事にある。
【課題を解決するための手段】
【０００６】
この課題を解決する為の手段として、成形天井はルーフパネル部分とカーテンエアーバック展開部分とで構成され、且つ、断熱性と吸音性と剛性を有する多重構造のルーフパネル部分と左右両側面に設けた一枚構造のカーテンエアーバック展開部分を一体構造に目付変更した芯材から成り、トータル重量及び性能を最適化したものである。
【発明の効果】
【０００７】
この発明の効果として、成形天井はルーフパネル部分とカーテンエアーバック展開部分とで構成され、且つ、断熱性と吸音性と剛性を有する多重構造のルーフパネル部分と左右両側面に設けた一枚構造のカーテンエアーバック展開部分を一体構造に目付変更した芯材から成り、トータル重量及び性能を最適化した事で、成形天井の高剛性化とカーテンエアーバック展開性の両立が可能と成り、且つ、基材のコストアップを最小限に抑え、従来工法成形を可能にし、品質・性能・コスト面で極めて有益なる効果を奏するものである。
【発明を実施するための最良の形態】
【０００８】
この発明の最良の形態として、見栄えが良く、且つ、剛性のある自動車用多重構造式成形天井を従来工法で低コストに形成可能な材質・寸法形状を設定する事が重要である。
【実施例１】
【０００９】
そこで、この発明の一実施例を図１〜図２に基づいて詳述すると、車両天井部に装着して使用する成形天井であって、該成形天井はルーフパネル部分（１）とカーテンエアーバック（２）（２’）展開部分とで構成され、断熱性と吸音性と剛性を有する二重構造のルーフパネル部分と左右両側面に設けた一枚構造のカーテンエアーバック展開部分を一体構造に目付変更した芯材（ＷＭ）（ＷＭ’）から成る事で、トータル重量及び性能を最適化した事を特徴とする自動車用多重構造式成形天井から構成される。
【００１０】
次に、この発明の多重構造式成形天井の断面構造について説明すると、図２に示す様に成形天井は、左側カーテンエアーバック展開部分（２）からルーフパネル部分（１）を経由して右側カーテンエアーバック展開部分（２’）までを一体形成した上部芯材（ＷＭ）部とルーフパネル部分（１）のみに下部芯材（ＷＭ’）を装着して一体構造に目付変更した芯材（ＷＭ）（ＷＭ’）から成るものである。
【００１１】
図１は、成形天井の斜視図を示し、ハッチング（斜線）部分はルーフパネル部分（１）を示し、目付け二重部分である。
【００１２】
又、ハッチング部以外は左右カーテンエアーバック展開部分（２）（２’）を示し、一枚構造の芯材（ＷＭ）から成るものである。
【産業上の利用可能性】
【００１３】
この発明の自動車用多重構造式成形天井は、カーテンエアーバック展開部分とルーフパネル部分の基材目付を変える事で、成形天井の高剛性化とカーテンエアーバック展開性の両立を可能にする為、多くの自動車産業市場に寄与する点で産業上の利用可能性を有する。
【図面の簡単な説明】
【００１４】
【図１】この発明の一実施例を示し、二重構造式成形天井の斜視図である。
【図２】この発明の一実施例を示し、図１のａ−ａ矢視断面図である。
【符号の説明】
【００１５】
１  ルーフパネル部分
２  カーテンエアーバック（左側）
２’  カーテンエアーバック（右側）
ＷＭ  上部芯材
ＷＭ’  下部芯材
【図１】
2007125949.tif 000003
【図２】
2007125949.tif 000004
(57)【要約】【課題】  扁平状、円盤状治療器を肌着へ取り付け、取り外しが簡単にでき、且つ、取付けられた扁平状、円盤状治療器が日常活動中に外れないことを特徴とする扁平状、円盤状治療器の肌着への取付け具を提供する。【解決手段】  ビニール、ゴム、プラスチック等で作られた扁平状リングに周壁を形成し、この扁平状リングの内側に扁平状、円盤状治療器の通過を助ける対向する２ヶ所の切欠を設けることを特徴とする扁平状、円盤状治療器を肌着へ取付けるための扁平状、円盤状治療器取付け具。【選択図】図１
2007125325.tif 000002
【特許請求の範囲】
【請求項１】
ビニール、ゴム、プラスチック等で作られた扁平状リングに周壁を形成し、この扁平状リングの内側に扁平状、円盤状治療器の通過を助ける対向する２ヶ所の切欠を設けることを特徴とする扁平状、円盤状治療器を肌着へ取付けるための扁平状、円盤状治療器取付け具。
【発明の詳細な説明】
【技術分野】
【０００１】  本発明は、扁平状、円盤状の磁気治療器、遠赤外線治療器、マイナスイオン治療器などの治療器を肌着へ取付けるための扁平状、円盤状治療器取付け具に関するものである。
【背景技術】
【０００２】  従来、肩こり、筋肉痛、冷え性などの治療に扁平状、円盤状の磁気治療器、遠赤外線治療器、マイナスイオン治療器などを人体の治療を必要とする部位に粘着シートなどで貼り付けて使用されている。
【発明の開示】
【発明が解決しようとする課題】
【０００３】  従来の方法には、次のような問題点があった。
（イ）扁平状、円盤状の磁気治療器、遠赤外線治療器、マイナスイオン治療器などは、  人体に粘着シートなどで貼り付けて使用されており、長期間に渡って同一箇所で使用す  ると肌にかゆみや肌荒れが生じることが多い。
（ロ）粘着シートは、剥がさず入浴することが出来るが、体を洗う時には装着部が洗え  ず不快感が生じる。
（ハ）粘着シートは、入浴などで剥がした場合には、再び装着する時には新しい粘着テ  ープを使用する必要がある。
（ニ）人体の手の届かない場所に粘着テープで貼り付ける場合は、１人で貼り付けるこ  とが困難である。
本発明は、以上の問題点を解決するためになされたものである。
【課題を解決するための手段】
【０００４】  ビニール、ゴム、プラスチック等で作られた扁平状リングに周壁を形成し、この扁平状リングの内側に扁平状、円盤状治療器の通過を助ける対向する２ヶ所の切欠を設けることを特徴とする扁平状、円盤状治療器を肌着へ取付けるための扁平状、円盤状治療器取付け具である。
【発明の効果】
【０００５】  扁平状、円盤状治療器を肌着へ取り付け、取り外しが簡単にでき、且つ、取付けられた扁平状、円盤状治療器が日常活動中に外れない。したがって、扁平状、円盤状治療器を肌着へ取り付けて装着位置を固定することにより長期間に渡って扁平状、円盤状治療器を同一箇所で使用が可能となり、また、人体の動きに合わせて肌着に取付けた治療器と肌の位置が移動するので広い範囲で治療効果を得ることができ、また、粘着テープを使用しないので肌にかゆみや肌荒れが生じることが無い。
【発明を実施するための最良の形態】
【０００６】  以下、本発明の実施の形態について説明する。
（イ）ビニール、ゴム、プラスチック等で作られた扁平状リング（１０）に周壁（３）を設ける、円盤状治療器（８）の通過を助ける対向する２ヶ所の切欠部（６）を扁平状リング（１０）内側に設け、取付け具（１）を構成する。
（ロ）中空部径（５）は円盤状治療器径（９）より小さくする。
（ハ）内周壁径（４）は円盤状治療器径（９）に布地（７）厚の２倍を加算した値より大きくする。
（ニ）内周壁の形状は、円盤状治療器（８）と同形状にする。
本発明は、以上の構成よりなっている。
本発明を使用するときは、円盤状治療器（８）を垂直に立てた状態で布地（７）にて包み、その上から、切欠部（６）を円盤状治療器（８）に合わせ、取り付具（１）を取り付け部根元に挿入し、挿入後に円盤状治療器（８）を内周壁内に納める。
【図面の簡単な説明】
【０００７】
【図１】本発明の斜視図
【図２】本発明の使用状態を示した断面図
【図３】円盤状治療器の斜視図
【符号の説明】
【０００８】    １  取り付具
２  中空部
３  周壁
４  内周壁径
５  中空部径
６  切欠部
７  布地
８  円盤状治療器
９  円盤状治療器径
１０  扁平状リング
【図１】
2007125325.tif 000003
【図２】
2007125325.tif 000004
【図３】
2007125325.tif 000005
(57)【要約】【課題】従来、仏前に供える線香は灰に立てて使用されてきたものであるが、倒れて火災になる危険があり、風に吹かれて散らばり、水にぬれては使用できず、特に屋外において不便であった。この不便を解消し線香の火が途中で消火することのない線香立てをつくる必要があった【解決手段】太径の螺旋状針金と、この針金に引き伸ばしながら差し込んだ細径の引きバネとが構成する線香立て。【選択図】図１
2007125328.tif 000002
【特許請求の範囲】
【請求項１】
垂直方向に立設されている太径の螺旋状針金と、この螺旋状針金をほぼ全長に亘って被うように装着されている伸張された引きバネとからなり、引きバネは、螺旋状針金の内側周面とは接触していないことを特徴とする線香立て。
【発明の詳細な説明】
【技術分野】
【０００１】本発明は立てた状態で点火した線香の火が途中で消えない工夫により、燃えカスを残さない仏前に供える線香立てに関する。
【背景技術】
【０００２】一本の金属線材を適宜な間隙を有する螺旋筒状に巻き回して線香立てをつくり、当該螺線筒を垂直に立てた状態でこの円筒の中に線香を立てる工夫を施したものがある。（例えば特許文献１参照）
更に、線香立ての台座に垂直状に３本以上の支柱を立て、一方で０．４ｍｍ以下の線径の線材によってなるコイルを作り、当該コイルを台座に立てた３本以上の支柱の外周に巻き、３角柱以上の筒を形成し、当該筒の中に線香を立てる工夫を施したものがある。（例えば特許文献２参照）
又、燃焼中の線香の火が接触しても、消火するまでの燃焼温度を奪い去らない線径の耐火線材によって螺旋を施して円筒を作り、当該円筒をスタンドの台座に立て、この円筒の中に線香を立てて線香の火が途中で消えない工夫を施したものがある。（例えば特許文献３参照）
【特許文献１】登録実用新案３０９３６７８
【特許文献２】特開２００４−１９５１４６
【特許文献３】特開  平８−１５４８０５
【発明の開示】
【発明が解決しようとする課題】
【０００３】登録実用新案３０９３６７８及び特開平８−１５４８０５には、共に、金属線材の径についての記載がないが、自立させるためには、例えば１ｍｍ程度の線径にする必要があり、このような線径の金属線を用いると、燃焼中の線香の火がこの金属線に接触した際に消えてしまうという問題が発生する。
また、特開２００４−１９５１４６に記載の線香立ては、全体の強度が充分ではなく、かつ、その製造工程が複雑になる。
【課題を解決するための手段】
【０００４】本発明によれば、垂直方向に立設されている太径の螺旋状針金と、この螺旋状針金をほぼ全長に亘って被うように装着されている伸張された引きバネとからなり、引きバネは、螺旋状針金の内側周面とは接触していないことを特徴とする線香立てが提供される。
【発明の効果】
【０００５】本発明の線香立ては、働きの異なる２つの螺旋体の組み合わせによって構成されており、燃焼中の線香が途中で消えることがなく、かつ簡単な構造でありながら充分な機械的な強度を有している。
【発明を実施するための最良の形態】
【０００６】本発明を図面に示す一実施例に基づいて説明する。図１及び図２は、それぞれ本発明の線香立ての正面図及び平面図である。なお、これらの図では、線香立てに線香を立てた状態を示している。【０００７】本発明の線香立ては、基本的には太径の螺旋状針金２と、この螺旋状針金２をほぼ全長に亘って被うように装着されている伸張された細径の引きバネ１とから構成されている。この明細書において引きバネとは、バネに力を加えない状態でバネが最小の長さになるようなバネを意味する。螺旋状針金２の上下両端部は水平になるように加工されている。尚、この螺旋状針金２の線径は通常１〜３ｍｍである。
図２に示すように伸張された引きバネ１は螺旋状針金２の外側周面ないし横側周面と接しており、螺旋状針金２の内側周面とは接触しておらず、この内側周面から浮き上がった状態になっている。伸張された引きバネ１のピッチ間距離は、線香６が引きバネ１の間に入り込まないように線香６の直径より小さくされている。【０００８】伸張された引きバネ１が螺旋状針金２の内側周面から浮き上がった状態の構造体は例えば、全長が引きバネ１の巻胴長の約２倍以上であり、かつ直径が引きバネ１の巻径の約半分以下である螺旋状針金２に引バネ１を差し込みながら引き伸ばし、螺旋状針金２の両端と約２倍以上に引き伸ばされた引きバネ１の両端を螺旋状針金の外周面で接着固定することによって製作することが出来る。尚、引きバネ１の線径は０．４ｍｍ以下であることが好ましい。【０００９】中央部に円形開口部を有する台座４の底面に、不燃性材料、例えば金属製の円盤状網３が取り付けられている。台座４は不燃性の材料、例えば金属で製作されていることが好ましい。台座４の底面への円盤状網３の取り付け手段については特別の制限はなく、例えば接着剤で取り付ける手段、溶接で取り付ける手段などを採用することが出来る。又、上記の円形開口部の上面縁部に、引きバネ１が装着された螺旋状針金２の外側を保護する中空円筒状カバー５が載置されている。
引きバネ１が装着された螺旋状針金２及び中空円筒状カバー５は、台座４上に特別の係止具を用いることなく置くこともでき、自体公知の係止手段を用いて係止しても良い。【００１０】本発明の線香立ての使用例を説明する。線香６を螺旋状針金２で形成される空間内に差し込み、線香６の下端部を円盤状網３で支持する。線香６は螺旋状針金２とは直接には接触せず、伸張された引きバネ１と接触するので燃焼途中で消えることがなく、燃え尽きるまで燃焼が継続する。
燃焼した灰は円盤状網に堆積し、外部に飛散することがない。
【図面の簡単な説明】
【００１１】
【図１】本発明の使用形態を示す正面図
【図２】螺旋状針金の内周を示す平面図
【符号の説明】
【００１２】１  線香の火を消さない線径の線材によってなる引きバネ
２  姿勢（形）を保持する螺旋状針金
３  線香の下部を受ける網
４  台座
５  中空円筒状カバー
６  線香
【図１】
2007125328.tif 000003
【図２】
2007125328.tif 000004